(57)【要約】      （修正有）【課題】筐体前部と筐体裏側を有する筐体を備えたインターコムネットワーク用の通話装置を提供する。【解決手段】通話装置１０は、筐体前部１３に、多数の選択キー１７ａ〜１７ｄを備えた操作部品と、タッチスクリーン式ディスプレイ１６ａ〜１６ｄとが配置され、操作員による選択キーの操作により、中継装置を介したインターコムネットワークの選択された別の通話装置との聴取接続及び／又は通話接続を直ちに提供する。ディスプレイは、第一の種類の情報が表示可能であるか、第一の種類のデータが入力可能であるか、或いはその両方が可能であり、休止位置と切換位置の間を移動可能であり、切換位置へのディスプレイの移動により、ディスプレイが第二の機能状態を占め、第二の種類の情報が表示可能であるか、第二の種類のデータが入力可能であるか、或いはその両方が可能であり、情報及びデータが、少なくとも一つの操作部品と関連する。【選択図】図１
2019103134.tif 000002
【特許請求の範囲】
【請求項１】
筐体前部（１３）と筐体裏側（１４）を有する筐体（１２）を備えた、インターコムネットワーク（１１）用の通話装置（１０）であって、
この筐体前部には、複数の操作部品（１５ａ，１５ｂ，１５ｃ）と、タッチスクリーン式ディスプレイとして構成された少なくとも一つのディスプレイ（１６ａ，１６ｂ，１６ｃ，１６ｄ）とが配置され、
これらの操作部品は、複数の選択キー（１７ａ，１７ｂ，１７ｃ，１７ｄ）を備え、
この通話装置は、操作員による選択キーの操作により、特に、中継装置（１９）を介した、インターコムネットワークの選択された別の通話装置（１８ａ，１８ｂ）との聴取接続及び／又は通話接続を直ちに提供し、
このディスプレイでは、ディスプレイの第一の機能状態（６８）において、第一の種類の情報（Ａ；Ｂ；Ｃ）が表示可能であるか、第一の種類のデータ（Ａ；Ｂ；Ｃ）が入力可能であるか、或いはその両方が可能であり、これらの情報及びデータが、少なくとも一つの操作部品と関連している当該通話装置において、
このディスプレイ（１６ｃ）は、休止位置（６６）と切換位置（６７）の間を移動可能であり、
この切換位置へのディスプレイの移動により、ディスプレイが第二の機能状態を占め、その状態では、ディスプレイにおいて、第二の種類の情報（Ｄ；Ｅ；Ｆ）が表示可能であるか、第二の種類のデータ（Ｄ；Ｅ；Ｆ）が入力可能であるか、或いはその両方が可能であり、これらの情報及びデータが、少なくとも一つの操作部品と関連していることを特徴とする通話装置。
【請求項２】
前記の筐体（１２）が平行６面体形状又はほぼ平行６面体形状に形成されていることを特徴とする請求項１に記載の通話装置。
【請求項３】
少なくとも一つの操作部品（１５ａ，１５ｂ，１５ｃ，１７ａ，１７ｂ，１７ｃ，１７ｄ）がプログラミング可能に構成されていることを特徴とする請求項１又は２に記載の通話装置。
【請求項４】
この通話装置が、それぞれタッチスクリーン式ディスプレイとして構成された、それぞれ休止位置（６６）と切換位置（６７）の間を移動可能である複数のディスプレイ（１６ａ，１６ｂ，１６ｃ，１６ｄ）を有することを特徴とする請求項１から３までのいずれか一つに記載の通話装置。
【請求項５】
切換位置へのディスプレイの移動が、少なくとも一つのセンサー（６０ａ，６０ｂ，６０ｃ，７５，８３）により検知可能であることを特徴とする請求項１から４までのいずれか一つに記載の通話装置。
【請求項６】
この通話装置が、前記のセンサー（６０ａ，６０ｂ，６０ｃ，７５，８３）と接続された制御部（６５）を有することを特徴とする請求項５に記載の通話装置。
【請求項７】
前記の制御部が、ディスプレイをその第一の機能状態（６８）からその第二の機能状態（６９）に切り換えることを特徴とする請求項６に記載の通話装置。
【請求項８】
前記の制御部が、切換位置へのディスプレイの短時間の移動及び／又は連続した移動時に、ディスプレイをその第一の機能状態からその第二の機能状態に切り換えることを実行することを特徴とする請求項６又は７に記載の通話装置。
【請求項９】
前記の制御部が、切換位置へのディスプレイの一回の移動時に、ディスプレイをその第一の機能状態からその第二の機能状態に切り換えることを実行することを特徴とする請求項６から８までのいずれか一つに記載の通話装置。
【請求項１０】
前記の制御部が、切換位置へのディスプレイの時間的に短い相前後した複数回、例えば、二回の移動時に、ディスプレイをその第一の機能状態から第三の機能状態に切り換えることを実行することを特徴とする請求項５又は６に記載の通話装置。
【請求項１１】
ディスプレイ（１６ｃ）が完全に、或いは部分的に移動可能であるように構成されていることを特徴とする請求項１から１０までのいずれか一つに記載の通話装置。
【請求項１２】
電源端子、データケーブル端子、ＢＮＣ端子のような複数の端子（２０ａ，２０ｂ，２０ｃ，２０ｄ，２０ｅ，２０ｆ，２０ｇ，２０ｈ，２０ｉ）が筐体裏側（１４）に配置されていることを特徴とする請求項１から１１までのいずれか一つに記載の通話装置。
【請求項１３】
少なくとも一つのスピーカ（２４）及び／又はスピーカ用端子が筐体前部（１３）に固定して配置されていることを特徴とする請求項１から１２までのいずれか一つに記載の通話装置。
【請求項１４】
少なくとも一つのマイクロフォン（４４）及び／又はマイクロフォン用の少なくとも一つの端子が筐体前部（１３）に配置されていることを特徴とする請求項１から１３までのいずれか一つに記載の通話装置。
【請求項１５】
ヘッドセット用の少なくとも一つの端子（４６）が筐体前部（１３）に配置されていることを特徴とする請求項１から１４までのいずれか一つに記載の通話装置。
【発明の詳細な説明】
【技術分野】
【０００１】
本発明は、請求項１に記載のインターコムネットワーク用通話装置に関する。
【背景技術】
【０００２】
出願人は、３０年以上前から、そのようなインターコムネットワーク用通話装置とそれに対応するインターコムネットワークを開発、製造してきた。
【０００３】
通話装置の機能及び使用目的を説明するために、出願人の特許文献１〜６を参照されたい。繰り返しを避けるために、それらの出願を参照し、それにより、個々の特徴を参照することをも目的とし、並びにここで述べる本出願に含まれる個々の特徴を本出願の請求項に包含することをも目的として、それらの内容を本出願の内容に含める。
【０００４】
出願人が製造、開発して、多くの個数で流通している、この種の形式の従来技術による通話装置では、多数の操作部品とディスプレイが通話装置の筐体の前側に配置されている。前側に有る操作部品、ディスプレイ及び端子、例えば、マイクロフォン端子又はヘッドセット端子は、密に混み合って配置されている。操作部品、ディスプレイ及び端子を前側に配置できる設置面は、基本的に限られている。通話装置を所与の取付フレーム又は保持部、所謂ラックに収容しなければならないので、例えば、通話装置の筐体の寸法を予め規定することができる。しかし、通話装置を収容するラックにおける棚の内側寸法は、多くの場合標準化されているか、或いは予め規定されている。
【０００５】
その場合、特に、プログラミング可能に構成された、即ち、異なる機能を付与することが可能である多数の操作部品と多数のディスプレイを通話装置の前側に密に混み合った形で配置して収容するとの問題が基本的に発生する。ディスプレイには、少なくとも一つの操作部品、有利には、複数の操作部品に関連する情報を表示することができる。ディスプレイをタッチスクリーン式ディスプレイとして構成し、それにより、ディスプレイに情報を表示可能であるだけでなく、ディスプレイにデータも入力可能であることが既に知られている。例えば、所定の操作部品が所定の機能を保有すべきであるか、放棄すべきであるか、或いは所定の操作部品に関連した所定の情報を保存すべきであるとの入力を行なうことができる。
【先行技術文献】
【特許文献】
【０００６】
【特許文献１】ドイツ特許公開第１０２０１４０１１９６３号明細書
【特許文献２】ドイツ特許公開第１０２０１７１０７１４８号明細書
【特許文献３】ドイツ特許公開第１０２０１７１０７１５０号明細書
【特許文献４】ドイツ特許公開第１０２０１７１０６９４６号明細書
【特許文献５】ドイツ特許公開第１０２０１７１１６００２号明細書
【特許文献６】ドイツ特許公開第１０２０１７１１６２７３号明細書
【発明の概要】
【発明が解決しようとする課題】
【０００７】
従来技術による通話装置を出発点として、本発明の課題は、操作部品、ディスプレイ及び端子の中の一つ以上を通話装置の前側に特に密に混み合って配置すること、及び／又は通話装置の操作の快適性を向上させることが可能であるように、通話装置を改善構成することである。
【課題を解決するための手段】
【０００８】
本発明は、請求項１の特徴により、特に、その特徴部の特徴により本課題を解決し、それによると、ディスプレイは、休止位置と切換位置の間を移動することが可能であり、切換位置へのディスプレイの移動により、ディスプレイが、ディスプレイにおいて第二の種類の情報を表示可能であるか、第二の種類のデータを入力可能であるか、或いはその両方が可能である第二の機能状態を占め、これらの情報とデータが、少なくとも一つの操作部品に関連するものであることを特徴とする。
【０００９】
本発明の原理は、基本的に、タッチスクリーン式ディスプレイとして構成されたディスプレイを移動可能であるように構成することである。ディスプレイは、休止位置と切換位置の間を移動することが可能である。本発明では、切換位置へのディスプレイの移動により、ディスプレイは、第二の機能状態を占めることができる。この第二の機能状態では、例えば、第二の種類の情報をディスプレイに表示することが可能である。それに代わって、或いはそれに追加して、第二の機能状態に有るディスプレイでは、第二の種類のデータをディスプレイに入力することができる。これらの表示可能な第二の種類の情報又は入力可能な第二の種類のデータは、少なくとも一つの操作部品に関連するものである。ディスプレイが休止位置から切換位置に移動することが可能であることにより、ディスプレイのタッチスクリーンの別の機能段階を実現することができる。
【００１０】
ディスプレイが休止位置又は標準位置に有る場合、ディスプレイは第一の機能状態を占める。この第一の機能状態では、ディスプレイは、従来のディスプレイの通り使用することができる。このディスプレイは、第一の種類の情報を表示することができるとともに、第一の種類のデータを入力することができる。この表示される第一の種類の情報又は入力される第一の種類のデータは、少なくとも一つの操作部品に関連するものである。本発明には、例えば、ディスプレイと接続された通話装置の制御部又は計算ユニットによって、第一の種類の情報又は第一の種類のデータを少なくとも一つの操作部品に関連付けることも含まれる。
【００１１】
例えば、通話装置は、多数の選択キーを備えることができ、複数の選択キーを異なるグループに分けることができる。選択キーの各グループは、一つのディスプレイに割り当てることができる。第一の機能状態に有るディスプレイは、特に、選択キーを操作部品に空間的に直に割り当てる形で、その操作部品と直接関連する全ての第一の種類の情報を表示することができる。例えば、第一の種類の情報は、選択キーの名称、選択キーの番号、或いは所定の選択キーの操作により当該の通話装置を接続することが可能な別の通話装置に関連する情報を含む、或いはそれらから構成することができる。第一の機能状態に有るディスプレイでは、第一の種類のデータをディスプレイに入力することができる。例えば、所定の表示領域を触るようなタッチスクリーン式ディスプレイの操作によって、所定の操作部品又は所定の選択キーを呼び出すことができ、その際、ディスプレイにおいて、例えば、補足情報、例えば、音量値、選択キーの符号又は番号、或いはその選択キーに関する情報などを入力又は変更することができる。
【００１２】
しかし、本発明では、例えば、平坦に構成されたディスプレイに対して垂直である法線ベクトルの方向に沿って力を加えることによる手動操作によって、ディスプレイを休止位置から切換位置に移動させることができる。この切換位置は、センサーにより検知することができ、この検知を制御部に伝えることができる。次に、通話装置の制御部は、切換位置への到達により、ディスプレイが第一の機能状態から第二の機能状態に移行することを許容する。ディスプレイがその第二の機能状態を占めると、第二の種類の情報をディスプレイに表示することができる。即ち、例えば、別の情報段階又は別のレベルに到達することができる。第二の機能状態に有るディスプレイに、第二の種類のデータ、即ち、第一の種類のデータと異なるデータの入力を行なうこともできる。それによって、従来から通常行なわれていた形態よりも多彩な形態でディスプレイを利用する手法が提供される。ディスプレイの切換操作によって、即ち、休止位置から切換位置へのディスプレイの移動によって、ディスプレイが別の機能状態又は制御段階を占めることができる。
【００１３】
有利には、ディスプレイは、その休止位置の方に予め付勢されている。即ち、切換位置に到達した後、使用者が加える移動させる力を緩めるか、或いは解除すると、ディスプレイを休止位置に自動的に戻すことができる。それに代わって、ディスプレイが、その切換位置を占めており、休止位置に戻すためには、例えば、新たに操作しなければならないと規定することができる。
【００１４】
センサーにおいて、切換位置に移動させることを意味するディスプレイの一回の操作を検知できるだけでなく、所与の時間期間内での複数回の操作をも検知できることも実現可能であり、本発明に含まれる。例えば、切換位置におけるディスプレイの短い相前後した二回の移動によって、ディスプレイが第三の機能状態に対応する別の機能段階に到達すると規定することができる。休止位置から切換位置に移動させることを意味するディスプレイの更なる複数回、例えば、三回又は四回の操作は、同様に検知されて、ディスプレイを別の機能状態に移行させることができる。
【００１５】
本発明による通話装置は、専らインターコムネットワークで使用するために規定された装置である。インターコムネットワークは、異なる通話装置の参加者の間でオーディオ信号を伝送する役割を果たす。それは、所謂ポイント・ツー・ポイント接続である。全ての配線は、配線経路を中継、管理及び運営する中継装置を介して延びている。
【００１６】
通話装置は、例えば、金属から構成できる筐体を有する。この筐体は、平行６面体形状に形成される。筐体は、筐体前部、即ち、前側と、それと反対の筐体裏側とを有する。本発明による通話装置では、筐体前部には、多数の操作部品が配置される。それらは、例えば、選択キーであるとすることができるが、電位差計、回転コントローラ、回転ヘッド、キー又はそれらと同等の物などの別の操作部品であるとすることもできる。更に、通話装置には、一つのディスプレイ又は複数のディスプレイが配置される。少なくとも一つのディスプレイは、タッチスクリーン式ディスプレイとして構成される。タッチスクリーン式ディスプレイは、使用者の指をディスプレイに接触又は接近させることによって、使用者が情報を表示することを可能にするが、情報を入力することも可能にする。
【００１７】
本発明では、通話装置は、多数の選択キーを備えた複数の操作部品を有する。少なくとも休止位置から動作位置に移動させることが可能な部品が選択キーと呼ばれる。有利には、本発明による選択キーは、第一又は第二の切換位置又は動作位置に到達させるために、例えば、中央位置と呼ばれる休止位置を出発点として、二つの異なる移動方向に移動させることができる。それは、特に、切換状態に応じて、聴取（リッスン）機能を作動させるか、或いは通話（トーク）機能を作動させる選択キーであるとすることができる。
【００１８】
選択キーの操作により、通話装置は、特に、中継装置を介して、インターコムネットワークの選択された別の通話装置との聴取接続及び／又は通話接続を直ちに構築する。即ち、選択キーの操作によって、別の通話装置の参加者が直ちに呼び出される。
【００１９】
そのような通話装置及びインターコムネットワークは、例えば、催し物の分野で、例えば、スポーツイベントや音楽イベントなどのライブイベントで使用される。
【００２０】
本発明は、中継装置を介して、インターコムネットワークの別の通話装置と接続される通話装置と、インターコムネットワークの別の通話装置と直に（中継装置を間に接続すること無く）接続される通話装置とを含む。
【００２１】
ディスプレイが第一の機能状態又は休止状態に有る場合、ディスプレイに第一の種類の情報を表示することができる。第一の機能状態に有るディスプレイに第一の種類のデータを入力することもできる。第一の種類の情報又は第一の種類のデータは、少なくとも一つの操作部品に関連又は関係するもの、或いは少なくとも一つの操作部品に関わるものである。それは、これらの情報又はデータが操作部品のパラメータ、特性、機能、用途、決定又は介入手法を包含するか、或いはそれらと関連するものであることを意味する。
【００２２】
例えば、名称、番号、符号、設定や、音量値、輝度値、アドレス値などのパラメータ及びそれら以外の情報などが、これらの情報及びデータに属することができる。
【００２３】
本発明の有利な実施形態では、筐体は、平行６面体形状又はほぼ平行６面体形状に形成される。それは、通話装置の従来通りの形状の筐体に頼ることを可能にする。
【００２４】
本発明の別の有利な実施形態では、少なくとも一つの操作部品が、プログラミング可能であるように構成される。それは、操作員の入力によって、或いは中継装置からの指示によって、少なくとも一つの操作部品に少なくとも一つの変更可能な機能又は特性、或いはパラメータ値を指定できることを意味する。
【００２５】
本発明の別の有利な実施形態では、通話装置は、タッチスクリーン式ディスプレイとして構成された複数のディスプレイを有する。それらは、それぞれ休止位置と切換位置の間を移動することが可能である。有利には、一つのディスプレイには、一つのグループの操作部品が割り当てられる。
【００２６】
本発明の別の有利な実施形態では、切換位置へのディスプレイの移動は、少なくとも一つのセンサーにより検知することが可能である。それによって、通話装置の制御部に転送される信号を生成することができる。
【００２７】
本発明の別の有利な実施形態では、通話装置は、センサーと接続された制御部を有する。それによって、制御部により発動される、中央からのディスプレイの切換及び駆動を実現することができる。
【００２８】
この制御部は、例えば、マイクロプロセッサを備えることができ、そのマイクロプロセッサ上で、例えば、コンピュータプログラムが実行される。
【００２９】
本発明の別の有利な実施形態では、制御部は、ディスプレイをその第一の機能状態からその第二の機能状態に切り換える。第二の機能状態から第一の機能状態へのディスプレイの逆向きの切換も、制御部により実施することができる。例えば、センサーがディスプレイの切換位置への到達又は休止位置への到達を検知した場合に、切り換えが実施される。
【００３０】
ディスプレイが切換位置に到達してから所定の時間期間後に、第二の機能状態から第一の機能状態へのディスプレイの切り戻しが制御部により起動されると規定することもできる。
【００３１】
本発明の有利な実施形態では、ディスプレイが切換位置に短時間移動した場合に漸く、制御部は、第一の機能状態から第二の機能状態へのディスプレイの切り換えを実施することができる。この場合、切換位置への単純な短時間の到達で、即ち、例えば、ディスプレイの一種のタップで十分である。
【００３２】
ディスプレイを休止位置から切換位置に移行させた操作員に、ディスプレイの切換位置への到達を触覚により示すことができる。ディスプレイの切換位置に到達したことが、使用者に信号で伝えられる。
【００３３】
それに代わって、或いはそれに追加して、ディスプレイが切換位置に持続的に留まっているか、或いは切換位置に到達した後、そこに所定の時間期間留まっている場合にも、制御部が切り換えを実施すると規定することができる。この場合、一つの実施構成では、ディスプレイが切換位置に留まっている時間期間を同じくセンサーにより検出するか、制御部により処理して活用するか、或いはその両方を実施することができる。そのように、例えば、ディスプレイが切換位置に初めて到達した時に、制御部がディスプレイを第一の機能状態から第二の機能状態に切り換えるが、ディスプレイが切換位置に持続的に留まっているか、或いは所与の閾値時間以上、例えば、１秒又は２秒以上の間留まっている場合、その留まりが検知され、その後直ちに、ディスプレイを第二の機能状態から第三又はそれ以外の機能状態に移行する、或いは切り換えることも本発明に含まれる。同様に、切換位置でのディスプレイの最小滞留時間が更なる限界値（例えば、２秒、３秒又は４秒）を上回った場合、制御部は、ディスプレイが別の、例えば、第四、第五又は第六の機能状態に移行する、或いは切り換わることを許容する。
【００３４】
同様に、本発明の一つの実施構成では、切換位置へのディスプレイの一回又は複数回の移動により、制御部は、ディスプレイをその第一の機能状態からその第二の機能状態に切り換えることを実施すると規定することができる。
【００３５】
本発明の一つの変化形態では、ディスプレイは、完全に移動させることが可能である。ディスプレイの寸法、大きさ及び形態に応じて、ディスプレイを全体的に移動させることができる。本発明の代替実施形態では、ディスプレイは、部分的にのみ、或いは部分的にも、即ち、その延びに応じた部分範囲に渡って移動可能であるように構成される。
【００３６】
ディスプレイの移動運動は、直線に沿って行なうことができる。この直線は、筐体前部の平坦な面に対して垂直である法線ベクトルにより構成することができる。本発明には、別の軌道に沿った、例えば、筐体前部に対して傾斜した軌道又は湾曲した軌道に沿ったディスプレイの移動運動が実施可能である場合も含まれる。本発明には、移動運動を実施するためにディスプレイを傾斜又は傾倒させる、或いは旋回させることも含まれる。
【００３７】
本発明の更なる利点は、ここで引用していない従属請求項から、並びに以下における図面に図示された実施例の説明に基づき明らかになる。
【図面の簡単な説明】
【００３８】
【図１】本発明による通話装置の第一の実施例の筐体前部を図示した模式的な部分前面図
【図２】図１の通話装置の筐体裏側を図示した模式的な裏面図
【図３】本発明による三つの通話装置を有する本発明によるインターコムネットワークの実施例の簡略化して図示した模式的なブロック図
【図４】第一の機能状態における図１の通話装置のディスプレイ１６ｃを拡大した模式的な個別図
【図５】第二の機能状態における図４の図面の通話装置の個別図
【図６】センサー、制御部、バネ部品、信号配線などの通話装置の電子部品を更に図示した、図４の凡そ断面線ＶＩ−ＶＩに沿った図４のディスプレイの模式的な部分図
【図７】切換位置への到達に対応する第二の機能状態における図６の図面のディスプレイの模式図
【図８】本発明による通話装置のディスプレイの一つの実施例の模式的な個別斜視図
【図９】凡そ図８の矢印ＩＸの視線から見た、図８のディスプレイの背面図
【図１０】図９のディスプレイの模式的な分解組立図
【発明を実施するための形態】
【００３９】
以下の図面による記述において、図面も参照して、本発明の実施例を例示する。この場合、見易くするために、その限りにおいて、異なる実施例に関しても、同じ、或いは比較可能な部分、部品又は領域は、（部分的に、小文字を付けた）同じ符号により表示されている。
【００４０】
本発明の範囲内において、一つの実施例だけに関連して述べた特徴は、本発明の如何なる別の実施例の場合にも規定することができる。そのような変更された実施例は、（符号で表示されていない場合でも）共に本発明に含まれる。
【００４１】
開示された全ての特徴は、個々において本発明にとって重要である。そのため、付属する優先書類（先願のコピー）、従来技術の引用文献及びそこに記載された装置の開示内容の全体は、それらの書類の個々又は複数の特徴を本出願の一つ又は複数の請求項に統合するとの目的のためにも、共に本出願の開示に組み込まれる。
【００４２】
図１は、本発明による通話装置１０の一つの実施例を非常に模式的な前面図により図示している。この通話装置は、図３に表示されている通りのインターコムネットワーク１１で使用するのに有用である。そのようなインターコムネットワーク１１は、それぞれ接続配線４８ａ，４８ｂ，４８ｃを介して、中継装置１９と接続された複数の通話装置１０，１８ａ，１８ｂを有する。そのようなオーディオネットワークは、例えば、音楽イベント又はスポーツイベントなどのライブイベント時において、しかし、例えば、劇場の舞台やそれと比較可能な用途のための催し物の技術分野においても用いられる。
【００４３】
図３によるインターコムネットワーク１１の各通話装置１０，１８ａ，１８ｂは、図１による通話装置から構成することができる。
【００４４】
図１によると、本発明による通話装置１０の実施例は、図２に図示された筐体前部１３と筐体裏側１４を備えた筐体１２を有する。
【００４５】
筐体前部１３には、多数の操作部品１５ａ，１５ｂ，１５ｃ，１５ｄが配置され、ここでは、それらの操作部品の中の幾つかだけが表示されている。更に、前側１３には、多数のディスプレイ１６ａ，１６ｂ，１６ｃ，１６ｄが配置されている。有利には、各ディスプレイ１６ａ，１６ｂ，１６ｃ，１６ｄは、それぞれ複数の操作部品１５ａ，１５ｂ，１５ｃ，１５ｄから成る一つのグループに対応付けられる。
【００４６】
図１の実施例では、各ディスプレイは、八つの操作部品１５ａ，１５ｂ，１５ｃ，１５ｄから成るグループに対応付けられている。
【００４７】
図１の実施例では、通話装置１０は、選択キー１７ａ，１７ｂ，１７ｃ，１７ｄの形の操作部品１５ａ，１５ｂ，１５ｃ，１５ｄを有する。これらの選択キーは、その中央位置を出発点として、詳しくは、第一の切換位置に、或いはそれに代わって第二の切換位置に、レバー形式により移動させることが可能な操作部品から構成することができる。この操作部品は、通話モード又は聴取モードに設定するために、例えば、図１を参照すると、上方又は下方に向けて操作することができる。
【００４８】
操作部品１５ａ，１５ｂ，１５ｃ，１５ｄ，１７ａ，１７ｂ，１７ｃ，１７ｄは、プログラミング可能である、即ち、各選択キー１７ａ，１７ｂ，１７ｃ，１７ｄは、インターコムネットワーク１１の所定の通話装置に割り当てることができる。例えば、図１の通話装置１０の選択キー１７ｃは、図３のインターコムネットワーク１１の通話装置１８ａに割り当てることができる。即ち、この選択キー１７ｃを操作することによって、図１の通話装置１０の操作員は、その通話装置１８ａとの聴取接続又は通話接続を直ちに構築することができる。それに対応して、選択キー１７ｄは、図３のオーディオネットワーク１１の別の通話装置１８ｂと接続することができる。
【００４９】
この場合、中継装置１９に接続される通話装置１０，１８ａ，１８ｂの数は任意であり、多くの場合非常に大きい。
【００５０】
図１の実施例によると、それぞれ八つの選択キー又は操作部品１７ａ，１７ｂ，１７ｃ，１５ａ，１５ｂ，１５ｃから成る全部で四つのグループが通話装置１０に設けられている。即ち、この通話装置１０によって、インターコムネットワーク１１の全部で３２人の異なる参加者を呼び出すことができる。しかし、操作部品１５ａ，１５ｂ，１５ｃ及び選択キー１５ａ，１５ｂ，１５ｃは、多重に割り当てることもでき、そのため、例えば、異なる機能段階に分けて、インターコムネットワークの２×３２人の異なる参加者、或いはそれどころか３×３２人の異なる参加者を呼び出すことができる。
【００５１】
操作部品１５ａ，１５ｂ，１５ｃは、所定の別の通話装置を直に聴取アドレス指定した、或いは通話アドレス指定した呼出しの他に、例えば、グループ呼出しなどの別の機能も実現可能である。
【００５２】
操作部品１５ａ，１５ｂ，１５ｃもプログラミング可能である。そのために、例えば、個々の各選択キー１７ａ，１７ｂ，１７ｃ又は個々の各操作部品１５ａ，１５ｂ，１５ｃに所定のパラメータ又は複数の異なるパラメータを割り当てることもできる。そのようにして、例えば、個々の操作部品１５ａ，１５ｂ，１５ｃ用の個別の音量値を設定することができる。これらのキー又は操作部品１５ａ，１５ｂ，１５ｃ，１７ａ，１７ｂ，１７ｃに名称、番号、符号、略号又はそれ以外のパラメータ又は機能を割り当てることもできる。
【００５３】
更に、筐体前部１３には、一連の別の部品及び端子が配置されており、そのように、図１によると、前側１３には、マイクロフォン４４と、隠して配置されたスピーカ２４とが表示されている。スピーカ２４により選別された音の音放出のために、そのために設けられたスリット３０の形の開口部２８ａ，２８ｂが配備されている。
【００５４】
更に、マイクロフォン用端子４５とヘッドセット接続用端子４６が配備されている。図示されていない多数の別の端子、操作部品、コントローラ、電位差計及び追加のディスプレイの中の一つ以上を配備することもできる。完璧にするために、筐体前部１３におけるＵＳＢ端子５２ａ，５２ｂにも言及しておく。
【００５５】
筐体前部１３は、全体として四角形の基礎面３３を有する。この基礎面の側方縁部３４ａ，３４ｂには、開口４３を有する側方の固定区画４２ａ，４２ｂが配置されている。それによって、図示されていない取付フレーム、所謂ラックに通話装置１０を固定することが可能であり、この開口４３には、螺子などの固定部品が通される。
【００５６】
この限りにおいて、筐体前部１３は、多数の端子及び部品用の設置面５３を提供する。これらの端子部品は、そこに密に混み合って収容される。
【００５７】
図２によると、筐体裏側１４には、同じく多数の端子２０ａ，２０ｂ，２０ｃ，２０ｄ，２０ｅ，２０ｆ，２０ｇ，２０ｈ，２０ｉが配置されている。例えば、データケーブル端子２２ａ，２２ｂ，２２ｃ、ＢＮＣ端子２３、電源端子２１及び電力網延伸端子５０が配備されている。特に、筐体裏側１４には、その時々の通話装置１０及び中継装置１９と接続するための接続配線４８ａ，４８ｂ，４８ｃも繋がれている。
【００５８】
通話装置１０の筐体１２は、ほぼ平行６面体形状に形成されて、一つの底部壁５５、一つの天井壁５６及び四つの側壁から構成される。全体として、筐体１２の寸法、筐体１２の高さＨＧ、筐体の幅ＢＧが規定されて、それらは、図示されていない取付フレーム又はラック内の収容空間に対応する。その限りにおいて、操作部品１５ａ，１５ｂ，１５ｃ，１７ａ，１７ｂ，１７ｃ、端子５２ａ，５２ｂ，４６，４５及び別の部品４４，２８，３０又は別の機能機器を収容及び配置するための設置面５３が制限及び規定される。
【００５９】
各ディスプレイ１６ａ，１６ｂ，１６ｃ，１６ｄは、並びに何れにせよ図１の通話装置１０において図示されていない追加の別のディスプレイも、タッチスクリーン式ディスプレイとして構成される。それは、各ディスプレイが、従来のディスプレイに関して通常行なわれている通り、情報を表示できるとともに、操作員が操作によりディスプレイに情報又はデータを入力できる手法をも提供することを意味する。データを入力するためには、操作員が一つ又は複数の指をディスプレイ上の対応する切換領域又は切換面に近付けるか、或いはそれに触れることが必要である。
【００６０】
図４によると、第一の機能状態を占めるディスプレイ１６ｃが図示されている。この第一の機能状態は、符号６８で表示されている。
【００６１】
この第一の機能状態では、図４のディスプレイ１６ｃが第一の種類の情報を表示すると規定することができる。そのために、情報表示領域Ａ，Ｂ，Ｃが規定されている。これらの第一の種類の情報Ａ，Ｂ，Ｃは、所定の選択キーに、例えば、図１の通話装置１０の選択キー１７ｄに関連付けることができる。例えば、第一の種類の情報Ａ，Ｂ，Ｃは、音量値などのその選択キー１７ｄに対して設定されたパラメータ値を含むことができる。
【００６２】
第一の種類の情報Ａは、例えば、選択キー１７ｄに対する音量値であるとすることができる。
【００６３】
第一の種類の情報Ｂは、選択キー１７ｄが押下された場合に、当該の通話装置１０をインターコムネットワークの如何なる別の通話装置と接続するのかとの情報を含むことができる。例えば、第一の種類の情報Ｂは、インターコムネットワーク１１内で使用される、その所定の選択された別の通話装置（例えば、図３のインターコムネットワークの通話装置１８ａ）の識別子であるとすることができる。例えば、この場合、その値が「管理者指示」であるとすることができる。
【００６４】
情報値Ｃでは、第一の種類の情報として、通話装置１８ａで活動している操作員の名前を表示することができる。通話装置１８ａが、例えば、「管理者指示」と称される場合、例えば、「Ｔｈｏｍａｓ」との名前を領域Ｃに表示することができる。
【００６５】
即ち、ディスプレイ１６ｃは、第一の機能状態において、第一の種類の情報Ａ，Ｂ，Ｃを表示することができる。
【００６６】
本発明による通話装置は、ディスプレイ１６ａを図１による第一の機能状態から図５による第二の機能状態６９に切り換えることを可能にする機構を有する。それを個々に如何にして実現するのかは、後で考察する。
【００６７】
図５の実施例に基づき、先ず、ディスプレイ１６ｃは、その第二の機能状態６９に到達した場合に、同じ選択キー１７ｄに対して第二の種類の情報Ｄ，Ｅ，Ｆを表示することを説明する。図５は、ここでは、同じく選択キー１７ｄに関連する追加の別の情報用の三つの表示領域Ｄ，Ｅ，Ｆを図解している。ここでは、例えば、第二の種類の情報Ｄは、通話装置１０とその通話装置１０の選択キー１７ｄの操作により接続される別の通話装置１８ａとの間のオーディオ接続が既に構築されている期間の時間表示であるとすることができる。
【００６８】
この領域Ｅには、第二の種類の情報として、例えば、通話装置１０及び１８ａの操作員に対して、どれ程のオーディオ接続継続時間が依然として残されているのかとの情報を表示することができる。ここでは、例えば、残された残存通話時間を操作員に表示するタイマーを後進させることができる。
【００６９】
情報領域Ｆには、第二の種類の情報Ｆとして、例えば、インターコムネットワーク１１の或る別の操作員が、その時に通話装置１０の使用者とのオーディオ接続の構築を求めているとの情報を表示することができる。
【００７０】
如何なる場合でも、図４による第一の機能状態６８から図５による第二の機能状態６９へのディスプレイ１６ｃの切換プロセスにより、別の情報が、即ち、図４による第一の種類の情報Ａ，Ｂ，Ｃに代わって、図５による第二の種類の情報Ｄ，Ｅ，Ｆが表示されることが明らかである。第一の機能状態６８から第二の機能状態６９へのディスプレイ１６ｃの切り換えにより、別の表示段階が得られる。
【００７１】
この切換プロセスを実施するために、例えば、筐体前部１３に、異なる機能段階の間の相互切換又は単方向切換を許容するスイッチを配備することができる。しかし、本発明は、全く別の手法を採用して、タッチスクリーン式ディスプレイ１６ｃ自体がスイッチとして機能し、全体として移動方向５９（図７を参照）に沿って移動可能であると規定する。
【００７２】
図６によると、ディスプレイ１６ｃと通話装置１０の一つの領域の模式的な部分断面図が図示されている。例えば、ディスプレイ１６ｃは、例えば、円板形状に形成することができるガラス本体部６２と、一方において、タッチスクリーンで通常行なわれている通りの入力を実施するために、使用者の指の接触又は存在を検知できるセンサー層６３とから構成される。しかし、このセンサー層６３は、同時に表示層であり、情報Ａ，Ｂ，Ｃ，Ｄ，Ｅ，Ｆをディスプレイ１６ｃ上に表示する役割を果たす。
【００７３】
センサー層６３又は表示層と、ガラスと異なる材料から構成することもできるガラス本体部６２とは、全体として一体的に移動するように互いに接続されており、移動方向５９に沿って、或いはその逆向きに、図６による休止位置６６と図７による切換位置６７との間を移動することが可能である。この場合、休止位置６６は、図４による切換部品１６ｃの第一の機能状態に対応し、図７による動作位置又は切換位置６７は、図５によるディスプレイ１６ｃの第二の機能状態に対応する。
【００７４】
図６及び７は、通話装置１０の筐体１２と固定して配置された板７０又は区画７０に複数のセンサー６０ａ，６０ｂ，６０ｃが配置されていることを非常に模式的にしか明らかにしていない。この板７０は、取付板又は取付装置である。それは、筐体前部１３に固定して配置されている。筐体前部１３は、図６に図示されず、単に暗示されているが、例えば、凡そ図６及び図７に破線で表示された平面１３に沿って延びている。
【００７５】
図６及び７は、それぞれ三つのセンサー６０ａ，６０ｂ，６０ｃを図示しており、別の実施例では、一つのディスプレイ１６ｃに対して、単一のセンサー６０だけを、或いは３個よりも多いセンサーを配備することもできる。
【００７６】
図６及び７は、一端を取付板７０に支持され、他端をディスプレイ１６ｃに支持されたバネ部品６１ａ，６１ｂを模式的に図示して図解している。それは、ディスプレイ１６ｃをその休止位置６６の方に押す圧縮バネ部品である。
【００７７】
操作員が、移動方向５９に沿って、通話装置１０の操作員に対抗するディスプレイ１６ｃの前面１７に力を加えることによって、図６による休止位置６６を出発点として、移動方向５９に図７による動作位置６７にまでディスプレイを移動させることができる。
【００７８】
これらのセンサー６０ａ，６０ｂ，６０ｃは、そのような移動を検知することができる。これらのセンサーは、信号配線又は制御配線６４ｂ，６４ｃ，６４ｄを介して、通話装置１０の制御部又は計算ユニットであるか、或いはそれを備えることができるモジュール６５と接続されている。この制御部６５は、更に、信号配線６４ｅを介して、通話装置１０の図示されていない別の制御部と接続されている。しかし、このモジュール６５は、それ自体で前記の制御部又は通話装置１０の制御部を構成することもできる。
【００７９】
ディスプレイ１６ｃも、別の信号配線６４ａを介して、この制御部６５と接続されている。ディスプレイ１６ｃの駆動も、ディスプレイ１６ｃに入力されたデータの情報伝送も、残りの制御配線と同様に単に模式的に図示されている制御配線６４ａを介して行なわれる。
【００８０】
図６による休止位置を出発点として、ディスプレイが移動されて、センサー６０ａ，６０ｂ，６０ｃの中の少なくとも一つが切換位置６７への到達を検知した場合、制御部６５は、ディスプレイ１６ｃを図４による第一の機能状態６８から図５による第二の機能状態６９に切り換える。そして、第二の種類の情報Ｄ，Ｅ，Ｆが使用者に表示される。
【００８１】
図５による第二の機能状態６９から図４による第一の機能状態６８に機能状態を戻す変更は、例えば、休止位置６６から動作位置６７へのディスプレイ１６ｃの再度の移動により行なうことができる。バネ部品６１ａ，６１ｂは、それぞれディスプレイ１６ｃを動作位置６７から休止位置６６に戻す移動を引き起こすことができる。
【００８２】
図面に図示されていない本発明の別の実施形態では、ディスプレイ１６ｃは、動作位置６７に到達したら、その位置に留まることができる。バネ部品６１ａ，６１ｂがディスプレイ１６ｃを動作位置６７から休止位置６６に戻す移動を許容することを実現するために、再度圧力を増大させるか、或いは力を加える必要が有る場合がある。
【００８３】
以下において、タッチスクリーン式ディスプレイとして構成されたディスプレイ１６ｃに情報又はデータを入力できることも説明する。
【００８４】
以下では、図４が、又もや図４において情報Ａ，Ｂ，Ｃとして表示される第一の種類の情報を表す情報を操作員に表示するものと仮定する。しかし、図４では、第一の種類の情報Ａ，Ｂ，Ｃが単に四角形に図示された入力領域又は切換領域となっている。図４による第一の機能状態のディスプレイ１６ｃが、通話装置１０の使用者に対向している場合、使用者は、必要に応じて、或いは所望の際に選択を行なって、切換面Ａ、切換面Ｂ又は切換面Ｃを選択することができる。図４のディスプレイの第一の機能状態６８において、使用者が、例えば、切換面Ａを選択した場合、その選択に基づき、タッチスクリーン式ディスプレイ１６ｃに情報を入力することができる。
【００８５】
例えば、図４の第一の機能状態では、ディスプレイ１６ｃは、選択された選択キー（例えば、選択キー１７ｄ）に対して、その選択キー１７ｄに対する音量値を第一の音量値Ａに設定するのか、それと比べて異なる、例えば、より高い第二の音量値Ｂに設定するのか、或いはそれと比べて更に高められた非常に高い第三の音量値Ｃに設定するのかを切換領域Ａ，Ｂ，Ｃを用いて選択する手法を提供することができる。ディスプレイ１６ｃが図４による第一の機能状態に有る場合、切換領域Ａ，Ｂ，Ｃを介して、ディスプレイに第一の種類のデータＡ，Ｂ，Ｃを入力することができる。このデータ入力は、図６による信号配線６４ａを介して、制御部６５にも伝送される。制御部６５は、このデータを、図示されていないメモリに保存するか、或いはそれ以外の手法でデータ技術的に処理することができる。
【００８６】
しかし、ここで、通話装置１０の操作員が、図２による移動方向５９に力を加えることにより、図４のディスプレイ１６ｃを操作し、そのようにして、操作員が、第一の機能状態に対応する休止位置６６から図７による動作位置６７にディスプレイ１６ｃを移動させた場合、制御部６５は、図５に図示された第二の機能状態にディスプレイ１６ｃを切り換える。ここで、図５は、切換領域Ｄ，Ｅ，Ｆを図示しており、それらの領域を用いて、第二の種類のデータの入力が可能である。例えば、図４による第一の機能状態において、ディスプレイ１６ｃの入力領域Ａ，Ｂ，Ｃが音量値１，２，３を表示する一方、入力領域Ｄ，Ｅ，Ｆは、別の、例えば、より高い音量値４，５，６を表示することができる。即ち、操作員は、例えば、切換面Ｅの操作によって、音量値５を設定することができる。
【００８７】
そのため、操作員は、移動方向５９に、即ち、平坦な方向を向いた筐体前部１３に対して直角である法線ベクトルに沿って、ディスプレイを全体として移動させることによって、データの入力が行なわれるタッチスクリーン式ディスプレイ１６ｃにおいて、直ちにディスプレイ１６ｃの別の第二の機能段階又は別の機能状態６９を実現することができる。
【００８８】
本発明には、数多くの別の実施構成が含まれ、そのようにして、例えば、ディスプレイ１６ｃに、タッチスクリーン式ディスプレイで一般的に行なわれている通り、指先の案内によって、パラメータ又は別の値の連続的な調整を許容するスライドコントローラ又は所謂スライダーを配置すると規定することができる。その場合、確かに、ディスプレイ１６ｃの第一の機能状態６８において、スライダーが表示されるが、操作員がディスプレイ１６ｃを休止位置６６から切換位置６７に一度移動させた場合に初めて、スライダーが作動されると規定することができる。
【００８９】
本発明には、ディスプレイ１６ｃが、第一の機能状態では情報だけを表示し、切換位置に到達した時に初めて情報又はデータの入力を許容する場合も含まれる。
【００９０】
最後に、本発明には、ディスプレイが、第一の機能状態でタッチスクリーン式ディスプレイとして動作し、切換位置への一度の操作及び移動によって、制御部６５により第二の機能状態６９に切り換えられ、ディスプレイ１６ｃの再度の操作における切換位置６７への移動によって、第三の機能状態に移行される場合も含まれる。
【００９１】
例えば、所与の短い時間期間、例えば、数分の１秒又は数秒内における更に数回の操作によって、別の追加の機能状態に到達することもできる。
【００９２】
全体として、ここで提案したディスプレイの切換手法によって、通話装置１０の特に快適な取り扱いが実現される。
【００９３】
以下において、図８〜１０の実施例に基づき、ディスプレイ１６の特別な細部を取り上げる。
【００９４】
図８によると、前述した通話装置の中の一つにおいて使用するディスプレイ１６の実施例が模式的な斜視図で図示されている。このディスプレイ１６は、ほぼ四角形であり、二つのデータケーブル８１ａ，８１ｂを有し、それらを用いて、通話装置の制御部からディスプレイに、或いはその逆方向に、例えば、情報を、例えば、表示情報又は信号を伝送することができる。
【００９５】
図１０の分解図により最も良く見ることができる通り、ディスプレイホルダー７２がディスプレイ１６に装備されている。それは、通話装置１０の筐体前部１３に対して相対的に固く固定されている。
【００９６】
ディスプレイ１６は、軸方向５９に対して軸に沿って移動可能であるように、ディスプレイホルダー７２に保持されている。ディスプレイ１６がホルダー７２から脱落しないようにすることは、例えば、表示された固定螺子８２ａ，８２ｂにより実現することができる。
【００９７】
取り付けられた状態では、ディスプレイ１６の裏側７４とホルダー７２の前側８０との間に運動空間７８が存在する。ディスプレイ１６の裏側７４とホルダー７２の前側８０のと間には、更に、二つの弾力的な、少なくとも僅かに圧縮可能な部品７３ａ，７３ｂが配置されている。図１０の実施例によると、そこには、符号７３ａ，７３ｂで表示された二つの帯状の部品が図示されている。この場合、例えば、両面テープの帯であるとすることができる。これらは、一方において、圧縮可能であり、その限りにおいて、ホルダー７２からのディスプレイ１６の間隔を設定することを保証するが、それと同時に圧縮により復元力を引き起こす。
【００９８】
釣合い錘を備えたモーター７６が、保持部７７を用いて、ホルダー７２に固定されている。このモーター７６は、ディスプレイ１６の裏側７４に当接するアンビル部品７８と一緒に作用する。
【００９９】
特に、所謂バンパーの形式のセンサー部品８３が、特に、ＦＳＲ（ＦＳＲ＝Ｆｏｒｃｅ  Ｓｅｎｓｉｎｇ  Ｒｅｓｉｓｔｏｒ）部品の形のセンサー機器７５と一緒に作用する。それは、例えば、力の作用を受けると電気抵抗が変化する構成部品であるとすることができる。しかし、それに代わって、センサー７５は、力又は僅かな変位を受けると、それを検知して、例えば、電圧に変換できる歪みゲージ、圧電結晶又はそれら以外の任意の部品であるとすることもできる。
【０１００】
最も簡単な場合、センサー７５によって、ディスプレイ１６の軸方向の移動によりセンサー７５，８３に加わる力を検知して、直に電気信号に変換することができる。そのために、例えば、分圧器とそれに続くＡ／Ｄ（アナログ／デジタル）変換ユニットが、モーター７６に供給される電圧を発生することができる。このモーターは、そのような信号を受信すると、釣合い錘を操作して、例えば、１８０°の回転角だけ、それを回転させ、それによって、更にディスプレイに当接するアンビルを一緒に回転又は操作させることができる。
【０１０１】
それによって、ディスプレイ１６において、軸方向に移動させることを意味するディスプレイの操作に対して、使用者への触覚によるフィードバックを実現することができる。
【０１０２】
その限りにおいて、操作員が、軸方向に移動させることを意味するディスプレイの操作の際に、その操作は、センサー７５，８３により検知することができ、モーターと釣合い錘７６、アンビル７８及びディスプレイ１６を介した触覚による応答を引き起こすこととなる。そのようにして、普通のスイッチ操作を意味する軸方向への移動が成功したことを使用者に信号で伝えることができる。
【符号の説明】
【０１０３】
１０    本発明による通話装置
１１    インターコムネットワーク
１２    筐体
１３    筐体前部
１４    筐体裏側
１５ａ，１５ｂ，１５ｃ，１５ｄ          操作部品
１６，１６ａ，１６ｂ，１６ｃ，１６ｄ    ディスプレイ
１７ａ，１７ｂ，１７ｃ，１７ｄ          選択キー
１８ａ，１８ｂ                別の通話装置
１９    中継装置
２０ａ，２０ｂ，２０ｃ，２０ｄ，２０ｅ，２０ｆ，２０ｇ，２０ｈ，２０ｉ  端子
２１    電源端子
２２ａ，２２ｂ，２２ｃ        データケーブル端子
２３    ＢＮＣ端子ジャック
２４    スピーカ
２８ａ，２８ｂ                開口部
２９    把手部品
３０    スリット
３１    垂直方向
３３    基礎面
３４ａ，３４ｂ                側方縁部
４２ａ，４２ｂ                固定区画
４３    開口
４５    マイクロフォン端子
４６    ヘッドセット端子
４８ａ，４８ｂ，４８ｃ        接続配線
５０    電源延伸端子
５２ａ，５２ｂ                ＵＳＢ端子
５３    設置面
５５    底部壁
５６    天井壁
５９    移動方向
６０ａ，６０ｂ，６０ｃ        センサー
６１ａ，６１ｂ                バネ部品
６２    ガラス本体部
６３    センサー層
６４ａ，６４ｂ，６４ｃ，６４ｄ，６４ｅ  信号配線又は制御配線
６５    制御部
６６    休止位置
６７    切換位置
６８    第一の機能状態
６９    第二の機能状態
７０    板又は区画
７２    ディスプレイホルダー
７３ａ，７３ｂ                          圧縮可能な部品
７４    ディスプレイの裏側
７５    センサー
７６    モーター
７７    保持部
７８    運動空間又はアンビル部品
８０    ディスプレイホルダーの前側
８１ａ，８１ｂ                データケーブル
８２ａ，８２ｂ                固定螺子
８３    センサー
Ａ，Ｂ，Ｃ                    第一の種類の情報又はデータ
Ｄ，Ｅ，Ｆ                    第二の種類の情報又はデータ
ＢＧ    筐体の幅
ＨＧ    筐体の高さ
ＶＩ−ＶＩ                    断面線
ＩＸ    矢印（視線方向）
【図１】
2019103134.tif 000003
【図２】
2019103134.tif 000004
【図３】
2019103134.tif 000005
【図４】
2019103134.tif 000006
【図５】
2019103134.tif 000007
【図６】
2019103134.tif 000008
【図７】
2019103134.tif 000009
【図８】
2019103134.tif 000010
【図９】
2019103134.tif 000011
【図１０】
2019103134.tif 000012
【外国語明細書】
2019103134000001.pdf